【手続補正書】
【提出日】平成19年1月10日(2007.1.10)
【手続補正１】
【補正対象書類名】明細書
【補正対象項目名】発明の名称
【補正方法】変更
【補正の内容】
【発明の名称】画像記録装置並びに画像記録システムおよび画像記録方法
【手続補正２】
【補正対象書類名】明細書
【補正対象項目名】特許請求の範囲
【補正方法】変更
【補正の内容】
【特許請求の範囲】
【請求項１】  外部装置から印刷データを受信する受信手段と、
前記受信手段が受信した印刷データに基づいて記録紙上に画像を記録する画像記録手段と、
前記画像記録手段により画像が記録された記録紙を積載するための複数の積載手段と、
前記積載手段に積載される記録紙が満載となったか否かを積載手段毎に判別する判別手段と、
前記画像が記録された記録紙を前記複数の積載手段へ積載する積載モードとして、前記印刷データに含まれる識別情報に対応する積載手段へ前記記録紙を積載可能とする第１の積載モード及び前記複数の積載手段の全てへ前記記録紙を積載可能とする第２の積載モードを少なくとも含む複数の積載モードのいずれかを選択する選択手段と、
前記選択手段が前記第１の積載モードを選択した場合は前記識別情報に対応する全ての積載手段が満載となったと前記判別手段が判別したことに応じて前記識別情報に対応する全ての積載手段に積載された用紙を除去するよう通知し、前記選択手段が前記第２の積載モードを選択した場合は前記複数の積載手段の全てが満載となったと前記判別手段が判別したことに応じて前記複数の積載手段の全てに積載された用紙を除去するよう通知する通知手段と、
を有することを特徴とする画像記録装置。
【請求項２】  前記通知手段が前記通知をした後に、該通知に対応する積載手段に積載された用紙が除去されたと前記判別手段が判別したことに応じて、前記画像記録手段による画像の記録を再開することを特徴とする請求項１に記載の画像記録装置。
【請求項３】  印刷データを生成する生成装置と、該生成装置から前記受信した印刷データに基づいて画像を記録する画像記録装置とを有する画像記録システムであって、
前記生成装置は、
前記印刷データを生成する生成手段と、
前記生成手段が生成した印刷データを前記画像記録装置へ送信する送信手段とを有し、
前記画像記録装置は、
前記生成装置から印刷データを受信する受信手段と、
前記受信手段が受信した印刷データに基づいて記録紙上に画像を記録する画像記録手段と、
前記画像記録手段により画像が記録された記録紙を積載するための複数の積載手段と、
前記積載手段に積載される記録紙が満載となったか否かを積載手段毎に判別する判別手段と、
前記画像が記録された記録紙を前記複数の積載手段へ積載する積載モードとして、前記印刷データに含まれる識別情報に対応する積載手段へ前記記録紙を積載可能とする第１の積載モード及び前記複数の積載手段の全てへ前記記録紙を積載可能とする第２の積載モードを少なくとも含む複数の積載モードのいずれかを選択する選択手段と、
前記選択手段が前記第１の積載モードを選択した場合は前記識別情報に対応する全ての積載手段が満載となったと前記判別手段が判別したことに応じて前記識別情報に対応する全ての積載手段に積載された用紙を除去するよう通知し、前記選択手段が前記第２の積載モードを選択した場合は前記複数の積載手段の全てが満載となったと前記判別手段が判別したことに応じて前記複数の積載手段の全てに積載された用紙を除去するよう通知する通知手段と、
を有することを特徴とする画像記録システム。
【請求項４】  前記通知手段が前記通知をした後に、該通知に対応する積載手段に積載された用紙が除去されたと前記判別手段が判別したことに応じて、前記画像記録手段による画像の記録を再開することを特徴とする請求項３に記載の画像記録システム。
【請求項５】  印刷データを生成する生成工程と、
前記生成工程が生成した印刷データに基づいて記録紙上に画像を記録する画像記録工程と、
前記画像記録工程により画像が記録された記録紙を積載するための複数の積載部に積載される記録紙が満載となったか否かを積載部毎に判別する判別工程と、
前記画像が記録された記録紙を前記複数の積載部へ積載する積載モードとして、前記印刷データに含まれる識別情報に対応する積載部へ前記記録紙を積載可能とする第１の積載モード及び前記複数の積載部の全てへ前記記録紙を積載可能とする第２の積載モードを少なくとも含む複数の積載モードのいずれかを選択する選択工程と、
前記選択工程が前記第１の積載モードを選択した場合は前記識別情報に対応する全ての積載部が満載となったと前記判別工程が判別したことに応じて前記識別情報に対応する全ての積載部に積載された用紙を除去するよう通知し、前記選択工程が前記第２の積載モードを選択した場合は前記複数の積載部の全てが満載となったと前記判別工程が判別したことに応じて前記複数の積載部の全てに積載された用紙を除去するよう通知する通知工程と、
を有することを特徴とする画像記録方法。
【請求項６】  前記通知工程が前記通知をした後に、該通知に対応する積載部に積載された用紙が除去されたと前記判別工程が判別したことに応じて、前記印刷データに基づく画像の記録を再開する画像記録再開工程とを有することを特徴とする請求項５に記載の画像記録方法。
【手続補正３】
【補正対象書類名】明細書
【補正対象項目名】０００１
【補正方法】変更
【補正の内容】
【０００１】
【発明の属する技術分野】
本発明は、複数の積載モードを有する画像記録装置並びに画像記録システムおよび画像記録方法に関するものである。
【手続補正４】
【補正対象書類名】明細書
【補正対象項目名】００１７
【補正方法】変更
【補正の内容】
【００１７】
本発明は、上記の問題点を解決するためになされたもので、本発明の目的は、積載モードに応じた適切なタイミングで用紙の除去を通知することができる仕組を提供することである。
【手続補正５】
【補正対象書類名】明細書
【補正対象項目名】００１８
【補正方法】変更
【補正の内容】
【００１８】
【課題を解決するための手段】
本発明は、外部装置から印刷データを受信する受信手段と、前記受信手段が受信した印刷データに基づいて記録紙上に画像を記録する画像記録手段と、前記画像記録手段により画像が記録された記録紙を積載するための複数の積載手段と、前記積載手段に積載される記録紙が満載となったか否かを積載手段毎に判別する判別手段と、前記画像が記録された記録紙を前記複数の積載手段へ積載する積載モードとして、前記印刷データに含まれる識別情報に対応する積載手段へ前記記録紙を積載可能とする第１の積載モード及び前記複数の積載手段の全てへ前記記録紙を積載可能とする第２の積載モードを少なくとも含む複数の積載モードのいずれかを選択する選択手段と、前記選択手段が前記第１の積載モードを選択した場合は前記識別情報に対応する全ての積載手段が満載となったと前記判別手段が判別したことに応じて前記識別情報に対応する全ての積載手段に積載された用紙を除去するよう通知し、前記選択手段が前記第２の積載モードを選択した場合は前記複数の積載手段の全てが満載となったと前記判別手段が判別したことに応じて前記複数の積載手段の全てに積載された用紙を除去するよう通知する通知手段と、を有することを特徴とする。
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】０３２７
【補正方法】変更
【補正の内容】
【０３２７】
【発明の効果】
以上説明したように、本発明によれば、印刷データに含まれる識別情報に対応する積載手段へ記録紙を積載可能とする第１の積載モードが選択された場合は識別情報に対応する全ての積載手段が満載となったことに応じて用紙を除去するよう通知し、複数の積載手段の全へ記録紙を積載可能とする第２の積載モードを選択した場合は複数の積載手段の全てが満載となったことに応じて用紙を除去するよう通知するので、積載モードに応じた適切なタイミングで用紙の除去を通知することができる。
【手続補正１６】
【補正対象書類名】明細書
【補正対象項目名】０３２８
【補正方法】削除
【補正の内容】
【手続補正１７】
【補正対象書類名】明細書
【補正対象項目名】０３２９
【補正方法】削除
【補正の内容】
【手続補正１８】
【補正対象書類名】明細書
【補正対象項目名】０３３０
【補正方法】削除
【補正の内容】